【手続補正書】
【提出日】平成18年8月11日(2006.8.11)
【手続補正１】
【補正対象書類名】明細書
【補正対象項目名】全文
【補正方法】変更
【補正の内容】
【書類名】      明細書
【発明の名称】  デュアルシフトクロック配線を有する液晶表示装置
【特許請求の範囲】
【請求項１】
データ線と、前記データ線に交差するゲート線と、マトリックス形態に配列されており、前記ゲート線及びデータ線に連結されているスイッチング素子を有する画素とを含む液晶表示装置パネルと、
前記スイッチング素子をオンにするためのゲート電圧を前記ゲート線に順次に印加するゲート駆動部と、
画像データ信号を示す階調電圧を前記データ線にライン単位で印加するデータ駆動部と、
前記データ駆動部に伝送されるシフトクロック信号を生成するタイミング制御機とを含み、
前記シフトクロック信号は第１信号配線を通じて伝送され、前記シフトクロック信号と同一周波数であり、かつ９０゜〜２７０゜の位相差を有する第１クロック信号は第２信号配線を通じて伝送されることを特徴とする液晶表示装置。
【請求項２】
前記第２信号配線は所定の抵抗を通じて接地点に連結されることを特徴とする、請求項１に記載の液晶表示装置。
【請求項３】
前記第１クロック信号は前記タイミング制御機により生成されることを特徴とする、請求項２に記載の液晶表示装置。
【請求項４】
前記第１信号配線と前記第２信号配線とは回路基板に形成されることを特徴とする、請求項２に記載の液晶表示装置。
【請求項５】
前記回路基板は印刷回路基板であることを特徴とする、請求項４に記載の液晶表示装置。
【請求項６】
前記印刷回路基板は多層の配線領域を有し、
前記第１信号配線と前記第２信号配線とは同一層に互いに平行して形成されることを特徴とする、請求項５に記載の液晶表示装置。
【請求項７】
前記印刷回路基板は多層の配線領域を有し、
前記第１信号配線と前記第２信号配線とは互いに異なる層に形成されることを特徴とする、請求項５に記載の液晶表示装置。
【請求項８】
前記第１クロック信号は、前記シフトクロック信号と１８０°の位相差を有することを特徴とする、請求項１に記載の液晶表示装置。
【請求項９】
前記データ駆動部は、それぞれ前記画像データ信号及びシフトクロック信号を受信し、前記画像データ信号に対応する階調電圧を所定のデータ線に印加するデータドライバ集積回路を含む、請求項１〜８のいずれかに記載の液晶表示装置。
【請求項１０】
前記データドライバ集積回路は、
前記シフトクロック信号に同期し、前記画像データ信号をシフトしながら保存するシフトレジスタと、
前記シフトレジスタに保存された画像データ信号を受信し、前記画像データ信号に対応する階調電圧に変換するＤ／Ａコンバータと、
前記Ｄ／Ａコンバータから出力される階調電圧を臨時保存した後、ロード信号に応答して前記階調電圧を前記所定のデータ線にライン単位で印加する出力バッファと、を含む請求項９に記載の液晶表示装置。
【請求項１１】
データ線と、前記データ線に交差するゲート線と、マトリックス形態で配列されており、前記ゲート線及びデータ線に連結されているスイッチング素子を有する画素とを含む液晶表示装置パネルと、
前記スイッチング素子をオンにするためのゲート電圧を前記ゲート線に順次に印加するゲート駆動部と、
画像データ信号を示す階調電圧を、前記データ線にライン単位で印加するデータ駆動部と、
直列で伝送される画像データ信号を受信し、前記画像データ信号から第１画像データ信号と第２画像データ信号とを生成し、互いに９０°〜２７０°の位相差を有し、前記第１及び第２画像信号をそれぞれシフトするための第１及び第２シフトクロック信号を生成するタイミング制御機と、
前記第１及び第２画像データ信号をそれぞれ伝送するための第１及び第２画像信号配線と、前記第１及び第２シフトクロック信号をそれぞれ伝送するための第１及び第２クロック配線とが形成されている回路基板と、
を含む液晶表示装置。
【請求項１２】
前記回路基板は印刷回路基板であることを特徴とする、請求項１１に記載の液晶表示装置。
【請求項１３】
前記第１画像データ信号は、前記画像データ信号の中の奇数番目の信号であり、前記第２画像データ信号は前記画像データ信号の中の偶数番目の信号であることを特徴とする、請求項１２に記載の液晶表示装置。
【請求項１４】
前記第１及び第２シフトクロック信号は互いに１８０°の位相差を有することを特徴とする、請求項１３に記載の液晶表示装置。
【請求項１５】
前記第１画像データ信号と前記第２画像データ信号とは互いに９０°〜２７０°の範囲内の位相差を有することを特徴とする、請求項１４に記載の液晶表示装置。
【請求項１６】
前記第１画像データ信号と前記第２画像データ信号とは互いに１８０°の位相差を有することを特徴とする、請求項１５に記載の液晶表示装置。
【請求項１７】
前記第１画像データ信号は前記第１シフトクロック信号のライジングエッジに同期してシフトされ、前記第２画像データ信号は前記第２シフトクロック信号のフォーリングエッジに同期してシフトされることを特徴とする、請求項１６に記載の液晶表示装置。
【請求項１８】
前記第１及び第２シフトクロック信号のパルス幅は、前記第１及び第２画像データ信号のハイまたはロー信号の区間内にあることを特徴とする、請求項１６に記載の液晶表示装置。
【請求項１９】
前記第１及び第２画像データ信号は互いに９０°または２７０°の位相差を有することを特徴とする、請求項１５に記載の液晶表示装置。
【発明の詳細な説明】
【０００１】
【発明の属する技術分野】
本発明は液晶表示装置に関し、特に、デュアルシフトクロック配線を有する液晶表示装置に関する。
【０００２】
【従来の技術】
図１は従来の薄膜トランジスタ液晶表示（ｔｈｉｎ ｆｉｌｍ ｔｒａｎｓｉｓｔｏｒ ｌｉｑｕｉｄ ｃｒｙｓｔａｌ ｄｉｓｐｌａｙ；ＴＦＴ−ＬＣＤ）を示す図面である。
【０００３】
図１に示すように、ＴＦＴ−ＬＣＤは、通常ＬＣＤパネル１０、データ駆動部２０、ゲート駆動部３０及びタイミング制御機４０からなる。
【０００４】
ＬＣＤパネル１０には、走査線（ｓｃａｎｎｉｎｇ ｌｉｎｅ）である複数のゲート線（図示せず）が平行に形成されており、画像信号が印加される複数のデータ線（図示せず）が前記ゲート線と絶縁されて交差するように形成されている。複数のデータ線とゲート線とによって囲まれた領域は画素を形成する。各画素には、スイッチング素子である薄膜トランジスタ（ｔｈｉｎ ｆｉｌｍ ｔｒａｎｓｉｓｔｏｒ；ＴＦＴ）が形成されている。このＴＦＴのゲート電極、ソース電極及びドレーン電極には、それぞれゲート線、データ線及び画素電極が連結される。
【０００５】
データ駆動部２０は、ＬＣＤパネル１０のデータ線に電気的に連結されており、タイミング制御機４０から出力されるデジタル信号であるＲ、Ｇ、Ｂデータ信号と制御信号との入力を受け、アナログ信号であるＲ、Ｇ、Ｂデータ電圧をＬＣＤパネル１０の各データ線にライン単位で印加する。
【０００６】
この時、一つの集積回路（ｉｎｔｅｇｒａｔｅｄ ｃｉｒｃｕｉｔ；ＩＣ）でＬＣＤパネルの全てのデータ線を連結する場合、出力ピンの個数が増加する。そこで通常、多数のデータドライバＩＣ２０ａ、２０ｂ、２０ｃ、２０ｄでデータ駆動部２０を構成する。
【０００７】
ゲート駆動部３０は、ＬＣＤパネル１０のゲート線に電気的に連結されており、スイッチング素子であるＴＦＴをオンにするためのゲートオン電圧をゲート線に順次印加する。ゲートオン電圧によって複数のゲート線の中の一つのゲート線に連結されたＴＦＴがオンになると、データ線に印加されたデータ電圧がＴＦＴのドレーン電極を通じて画素電極に伝達される。ゲート駆動部３０も、データ駆動部と同一の理由で、多数のゲートドライバＩＣ（３０ａ、３０ｂ、３０ｃ、３０ｄ）からなる。
【０００８】
タイミング制御機４０は、Ｒ、Ｇ、Ｂデータ信号及び各種のタイミング信号をデータ駆動部２０及びゲート駆動部３０に出力する。タイミング制御機４０は、データ駆動部２０及びゲート駆動部３０と分離された印刷回路基板（ｐｒｉｎｔｅｄ ｃｉｒｃｕｉｔ ｂｏａｒｄ；ＰＣＢ）５０に形成されている。このＰＣＢ５０に形成された配線を通じ、各種のタイミング信号及びＲ、Ｇ、Ｂデータ信号をデータ駆動部２０またはゲート駆動部３０に伝送する。
【０００９】
この時、タイミング制御機４０からデータ駆動部２０に伝送される信号の中には、高周波である画像データ信号と、この画像データ信号をデータ駆動部２０のシフトレジスタ（図示せず）に保存するためのシフトクロック信号とがある。
【００１０】
【発明が解決しようとする課題】
前記のようなシフトクロック信号は、例えば、ＸＧＡ級ＴＦＴ−ＬＣＤである場合、クロック周波数が６５ＭＨｚ以上となる。このシフトクロックをＰＣＢ５０の配線を通じて全てのデータドライバＩＣ（２０ａ、２０ｂ、２０ｃ、２０ｄ）に伝送する場合、電磁波の干渉（ｅｌｅｃｔｒｏ−ｍａｇｎｅｔｉｃ ｉｎｔｅｒｆｅｒｅｎｃｅ；ＥＭＩ）の問題が発生する。
【００１１】
特に、ＴＦＴ−ＬＣＤのＰＣＢ５０は、図１に示すように、ＬＣＤパネルの長辺の長さと殆ど同一である。また、全てのデータドライバＩＣ２０ａ、２０ｂ、２０ｃ、２０ｄに前記シフトクロック信号を伝送する。従って、高速のシフトクロックを伝送する配線の長さが非常に長くなる。これにより、高速のシフトクロックの伝送に起因するＥＭＩはＴＦＴ−ＬＣＤにとって問題となる。
【００１２】
本発明は、前記の問題点を解決し、高速のシフトクロック信号及びデータ信号の伝送に起因するＥＭＩを減少させることを目的とする。
【００１３】
【課題を解決するための手段】
前記目的を達成するための本発明の一つの特徴による液晶表示装置は、データ線と、前記データ線に交差するゲート線と、マトリックス形態で配列されていて前記ゲート線及びデータ線に連結されているスイッチング素子を有する画素とを含む液晶表示装置パネル；前記スイッチング素子をオンにするためのゲート電圧を前記ゲートラインに順次に印加するゲート駆動部；画像データの信号を示す階調電圧を前記データ線にライン単位で印加するデータ駆動部；前記データ駆動部に伝送されるシフトクロック信号を生成するタイミング制御機；及び前記シフトクロック信号を伝送するための第１信号配線と、前記シフトクロック信号と同一周波数であり、９０°乃至２７０°の位相差を有する第１クロック信号を伝送するための第２信号配線とが形成されている回路基板；を含む。
【００１４】
ここで、前記第２信号配線は、所定の抵抗を通じて接地点に連結されるのが好ましい。また、前記第１クロック信号は、前記タイミング制御機により生成され、前記シフトクロック信号と１８０°の位相差を有するのが好ましい。
【００１５】
また、前記データ駆動部は、それぞれ前記画像データ信号及びシフトクロック信号が伝送され、前記画像データ信号に対応する階調電圧を所定のデータ線に印加するデータドライバ集積回路から構成できる。
このとき、各データドライバ集積回路は、前記シフトクロック信号に同期して前記画像データ信号をシフトしながら保存するシフトレジスタと、前記シフトレジスタに保存された画像データ信号を受信し、前記画像データ信号に対応する階調電圧に変換するＤ／Ａコンバータと、前記Ｄ／Ａコンバータから出力される階調電圧を臨時保存した後、ロード信号に応答して前記階調電圧を前記所定のデータ線にライン単位で印加する出力バッファとを含む。
【００１６】
一方、本発明の他の特徴による液晶表示装置は、データ線と、前記データ線に交差するゲート線と、マトリックス形態で配列されており、前記ゲート線及びデータ線に連結されているスイッチング素子を有する画素とを含む液晶表示装置パネル；前記スイッチング素子をオンにするためのゲート電圧を前記ゲートラインに順次印加するゲート駆動部；画像データ信号を示す階調電圧を前記データ線にライン単位で印加するデータ駆動部；直列で伝送される画像データ信号を受信し、前記画像データ信号から第１画像データ信号と第２画像データ信号とを生成し、互いに９０°〜２７０°以内の位相差を有する、前記第１及び第２画像データ信号をそれぞれシフトするための第１及び第２シフトクロック信号をそれぞれ生成するタイミング制御機；及び前記第１及び第２画像データ信号をそれぞれ伝送するための第１及び第２画像データ信号の配線と前記第１及び第２シフトクロック信号をそれぞれ伝送するための第１及び第２クロック配線とが形成されている回路基板；を含む。
【００１７】
ここで、前記第１画像データ信号は、前記画像データ信号の中の奇数番目の信号であり、前記第２画像データ信号は前記画像データ信号の中の偶数番目の信号であるのが好ましい。
【００１８】
また、前記第１及び第２シフトクロック信号は互いに１８０°の位相差を有するのが好ましい。このとき、前記第１画像データ信号と前記第２画像データ信号とは、互いに９０°〜２７０°の範囲内の位相差を有するのが好ましい。
【００１９】
【発明の実施の形態】
以下、図面を参照しながら本発明の実施形態例を詳細に説明する。
【００２０】
図２は、本発明の第１実施形態例によるＴＦＴ−ＬＣＤを示す図面である。
【００２１】
図２に示すように、本発明の第１実施形態例によるＴＦＴ−ＬＣＤは、ＬＣＤパネル１００、データ駆動部２００、ゲート駆動部３００及びタイミング制御機５５０からなる。
【００２２】
ＬＣＤパネル１００は、ＴＦＴ基板１２０、カラーフィルタ基板１１０及び二つの基板の間に注入される液晶層からなる。
【００２３】
カラーフィルタ基板１１０には、共通電圧が印加される共通電極（図示せず）とＲ、Ｇ、Ｂカラーフィルタ層（図示せず）とが形成されている。
【００２４】
ＴＦＴ基板１２０には、走査線である複数のゲート線Ｇｎが平行に形成されている。さらに、画像信号が印加される複数のデータ線Ｄｍが、前記ゲート線と絶縁して交差するように形成されている。複数のデータ線とゲート線とによって囲まれた領域は画素を形成する。各画素には、スイッチング素子であるＴＦＴ１２５が形成されている。ＴＦＴ１２５のゲート電極、ソース電極及びドレーン電極には、それぞれゲート線、データ線及び画素電極が連結される。画素電極と共通電極との間には液晶層が注入されており、これを等価的に液晶キャパシタＣｌで示している。また、画素電極には液晶容量に充電された電圧を維持するための維持キャパシタＣｓｔが形成されている。
【００２５】
データ駆動部２００は、多数のデータドライバＩＣ２００ａ、２００ｂ、２００ｃ、２００ｄと、前記ドライバＩＣがそれぞれ付着されているテープキャリアプレート（ｔａｐｅ ｃａｒｒｉｅｒ ｐｌａｔｅ；ＴＣＰ）２５０ａ、２５０ｂ、２５０ｃ、２５０ｄとからなる。
【００２６】
図２において、ＴＣＰ２５０ａ、２５０ｂ、２５０ｃ、２５０ｄの上にはそれぞれデータドライバＩＣ２００ａ〜ｄが付着されている。このＴＣＰには、ＰＣＢ５００と、データドライバＩＣ２００ａ〜ｄを連結するための信号線と、データドライバＩＣ２００ａ〜ｄとＴＦＴ基板との各データ線の端に形成されるデータパッド１２７ａ、１２７ｂ、１２７ｃ、１２７ｄを連結するための信号線とが形成されている。このＴＣＰは、図３に示すように、ＬＣＤパネル１００とＰＣＢ５００とをデータドライバＩＣ２００に電気的に連結する。
【００２７】
図３は、図２のＡ−Ａ´線で切った垂直断面図を示す図面である。
【００２８】
図３に示すように、ＴＦＴ基板１２０とカラーフィルタ基板１１０との間には液晶１０４が注入されている。この液晶１０４は、二つの基板の間に形成される封印材１０６によって封持されている。ＴＦＴ基板１２０の上に形成されるデータ線Ｄｎの端部にはデータパッド１２７ａが形成されている。このデータパッド１２７ａの上に、異方性導電フィルム（ａｎｉｓｏｔｒｏｐｉｃ ｃｏｎｄｕｃｔｉｏｎ ｆｉｌｍ；ＡＣＦ）２７０ａが形成されている。このＡＣＦ２７０ａは、ＴＣＰ２５０ａに付着され、データパッド１２７ａとデータドライバＩＣ２００ａとを電気的に連結する。また、ＴＣＰ２５０ａは、ＰＣＢ５００と連結され、タイミング制御機５５０からの各種の信号をデータドライバＩＣ２００ａに伝送する。このとき、ＴＣＰ２５０ａとＰＣＢ５００とは、図３に示すようにＡＣＦ２９０ａを通じて連結することができ、半田付けを通じて連結することもできる。
【００２９】
データドライバＩＣ２００ａ、２００ｂ、２００ｃ、２００ｄは、それぞれタイミング制御機５５０から出力されるＲ、Ｇ、Ｂデータ信号、クロック信号及び制御信号の入力を受け、アナログ信号であるＲ、Ｇ、Ｂデータ電圧をＴＦＴ基板１２０の各データ線にライン単位で印加する。図４に示すように、データドライバ２００ａ〜ｄは、シフトレジスタ２１０ａ、Ｄ／Ａ（ｄｉｇｉｔａｌ／ａｎａｌｏｇｕｅ）コンバータ２２０ａと出力バッファ２３０ａとからなる。
【００３０】
図４において、シフトレジスタ２１０ａは、タイミング制御機５５０から伝送されるＲ、Ｇ、Ｂデータを、シフトクロックＣＬＫ１に同期して順次にシフトしながら保存する。この時、データドライバＩＣ２００ａのシフトレジスタにデータが全て保存されると、データドライバＩＣは、「Ｃａｒｒｙ  Ｏｕｔ」信号を次のデータドライバＩＣ２００ｂに送る。次のデータドライバＩＣ２００ｂは、前のデータドライバＩＣと同様に動作する。
【００３１】
Ｄ／Ａコンバータ２２０ａは、シフトレジスタ２１０ａに保存されたデータ信号を、データ信号に対応するアナログ階調電圧値に変換する。即ち、Ｄ／Ａコンバータ２２０ａは、シフト階調電圧の発生部（図示せず）から出力される階調電圧Ｖ１、Ｖ２…Ｖｎと、シフトレジスタ２１０ａから出力されるデータ信号とを受信し、シフトレジスタに保存されたデータ信号に対応するアナログ階調電圧値を出力する。
【００３２】
出力バッファ２３０ａは、Ｄ／Ａコンバータ２２０ａから出力されるアナログ階調電圧を保存し、「ＬＯＡＤ」信号が印加されると、データドライバＩＣに電気的に連結されたデータ線にアナログ階調電圧をライン単位で印加する。
【００３３】
ゲート駆動部３００は、ＴＦＴ基板１２０のゲート線に電気的に連結されている。ゲート駆動部３００は、多数のゲートドライバＩＣ３００ａ、３００ｂ、３００ｃ、３００ｄと、ゲートドライバＩＣがそれぞれ付着されているＴＣＰ３５０ａ、３５０ｂ、３５０ｃ、３５０ｄとからなる。ゲートドライバＩＣ３００ａ、３００ｂ、３００ｃ、３００ｄは、データドライバＩＣと同様にＴＣＰ３５０ａ、３５０ｂ、３５０ｃ、３５０ｄを用いてＴＦＴ基板のゲートパッド１２８ａ、１２８ｂ、１２８ｃ１２８ｄとＰＣＢ４００とを電気的に連結する。
【００３４】
ゲート駆動部３００は、スイッチング素子であるＴＦＴをオンにするためのゲートオン電圧をゲート線に順次印加する。ゲートオン電圧により複数のゲート線の中の一つのゲート線に連結されたＴＦＴがオンになると、データ線に印加されたデータ電圧がＴＦＴのドレーン電極と通じて画素電極に伝達される。
【００３５】
タイミング制御機５５０は、Ｒ、Ｇ、Ｂデータ信号及び各種のタイミング信号を、データ駆動部２００及びゲート駆動部３００に出力する。タイミング制御機５５０は、多層基板であるＰＣＢ５００に形成されている。このＰＣＢ５００に形成された配線を通じ、各種のタイミング信号及びＲ、Ｇ、Ｂデータ信号を、データ駆動部２００またはゲート駆動部３００に伝送する。
【００３６】
タイミング制御機５５０は、シフトクロック信号ＣＬＫ１を各データドライバＩＣ２００ａ、２００ｂ、２００ｃ、２００ｄに伝送する。さらに、シフトクロック信号ＣＬＫ１によるＥＭＩ問題を減少させるために、図５に示すように前記シフトクロック信号ＣＬＫ１と同一周波数で位相が反対であるクロック信号ＣＬＫ２を、抵抗Ｒｅを通じて接地面に印加する。
【００３７】
即ち、一種のダミー配線であるクロック信号ＣＬＫ２配線を、前記シフトクロック信号ＣＬＫ１配線に平行してＰＣＢ５００上に配置する。このダミー配線に、前記シフトクロック信号ＣＬＫ１と位相が反対であるクロック信号ＣＬＫ２を印加することにより、以下に説明するように前記シフトクロック信号ＣＬＫ１に起因するＥＭＩを相殺する。
【００３８】
通常、ＴＦＴ−ＬＣＤにおける高周波信号の伝送に起因するＥＭＩ問題は、多層基板であるＰＣＢにおけるストリップライン形態の高周波線路と、この線路と隣接して形成される接地面との関係から起こる。即ち、高周波線路と接地面との間に発生する電界により、接地面には高周波線路と反対の極性を有する電荷が集まる。この時、ＥＭＩの大きさは電荷の動きによる接地面における電流の変化に比例する。したがって、接地面における電流の変化量を最小化することができれば、ＥＭＩ問題も最少化することができる。
【００３９】
本発明の第１実施形態例による液晶表示装置はこのような点を考慮し、シフトクロック信号ＣＬＫ１と同一周波数で反対の位相を有するクロック信号ＣＬＫ２を抵抗Ｒｅを通じて接地面に印加する。このようにすれば、たとえば、シフトクロック信号ＣＬＫ１の伝送で周囲の接地面に（−）電荷が誘導されると仮定する時、クロック信号ＣＬＫ２の伝送路の周囲の接地面には（＋）電荷が誘導されるので、接地面に誘導される電荷は互いに相殺する。したがって、本発明の第１実施形態例によると、シフトクロック信号に対応する接地面の電流を最少化することができるのでＥＭＩの発生を抑制することができる。
【００４０】
一方、本発明の第１実施形態例におけるクロック信号ＣＬＫ２は、シフトクロック信号ＣＬＫ１と同様にタイミング制御機５５０から出力されているが、別途のＩＣから出力されることもある。また、本発明の第１実施形態例におけるシフトクロック信号ＣＬＫ１配線とクロック信号ＣＬＫ２配線とは互いに平行して配列されて同一層に形成するのが好ましいが、必ずこれに限られるわけではなく、他の層に形成することもできる。
【００４１】
つまり、一般的に多層ＰＣＢは複数層の配線領域と配線領域の間の絶縁層とから構成されるが、前記シフトクロック信号ＣＬＫ１配線とクロック信号配線ＣＬＫ２とは同一層だけでなく、互いに異なる層に形成することもできる。
【００４２】
また、本発明の第１実施形態例におけるシフトクロック信号ＣＬＫ１とクロック信号ＣＬＫ２の位相を反対に、即ち、１８０°にしたが、この他に９０°〜２７０°の位相差を有するようにすることもできる。
【００４３】
次に、本発明の第２実施形態例を説明する。
【００４４】
図６は、本発明の第２実施形態例による液晶表示装置を概略的に示す図面である。
【００４５】
図６に示すように、本発明の第２実施形態例によるＴＦＴ−ＬＣＤは、ＬＣＤパネル１００、ゲート駆動部３００、データ駆動部６００、タイミング制御機７５０からなる。本発明の第２実施形態例におけるＬＣＤパネル１００及びゲート駆動部３００は、図２に示す第１実施形態例と同一であるので重複する説明は省略する。
【００４６】
図６に示すように、本発明の第２実施形態例によるタイミング制御機７５０は、奇数データ線に印加される奇数画像データ信号と、偶数データ線に印加される偶数画像データ信号とを、別途の信号線Ｌ１、Ｌ２を通してデータドライバＩＣ６００ａ、６００ｂ、６００ｃ、６００ｄに伝送する。また、この画像データ信号と同期信号であるシフトクロック信号ＣＬＫ３、ＣＬＫ４を、信号線Ｄ１、Ｄ２を通じてデータドライバＩＣに伝送する。
【００４７】
即ち、本発明の第２実施形態例によると、タイミング制御機７５０は、奇数画像データとシフトクロック信号ＣＬＫ３とを信号線Ｌ１と信号線Ｄ１とを通じてデータドライバＩＣ６００ａ、６００ｃに伝送する。また、偶数画像データとシフトクロック信号ＣＬＫ４とを、信号線Ｌ２と信号線Ｄ２とを通してデータドライバＩＣ６００ｂ、６００ｄに伝送する。
【００４８】
このように、本発明の第２実施形態例においては、画像データを２分してそれぞれドライバＩＣに伝送するので、第１実施形態例に比べて画像データ信号とシフトクロック信号との周波数を１／２に減少することができ、これによってＥＭＩ問題を減少することができる。
【００４９】
図７は、本発明の第２実施形態例による奇数及び偶数の画像データ信号とシフトクロック信号ＣＬＫ３、ＣＬＫ４との波形を示す図面である。
【００５０】
図７のように、本発明の第２実施形態例によると、シフトクロック信号ＣＬＫ３とＣＬＫ４とは同一周波数で反対の位相を有する。また、奇数画像データと偶数画像データとは同一周波数で反対の位相を有する。この時、奇数画像データは、シフトクロック信号ＣＬＫ３のライジングエッジに同期してデータドライバＩＣ６００ａ、６００ｃのシフトレジスタに保存される。偶数画像データは、シフトクロック信号ＣＬＫ４のフォリングエッジに同期してデータドライバＩＣ６００ｂ、６００ｄのシフトレジスタに保存される。
【００５１】
したがって、本発明の第２実施形態例によると、データドライバＩＣはそれぞれライジングエッジに同期するかどうかまたはフォーリングエッジに同期するかどうかを選択することができる機能、つまり、クロックトリガリング（ｔｒｉｇｇｅｒｉｎｇ）をポジティブまたはネガティブのどちらにするかを選択できる機能がなければならない。
【００５２】
本発明の第３及び４実施形態例は、このようなクロックトリガリング問題を解決するためのものである。図８及び９は、本発明の第３実施形態例による奇数及び偶数画像データ信号と、シフトクロック信号ＣＬＫ３、ＣＬＫ４との波形を示す図面である。図１０は、本発明の第４実施形態例による奇数及び偶数画像データ信号と、シフトクロック信号ＣＬＫ３、ＣＬＫ４との波形を示す図面である。
【００５３】
図８に示すように、本発明の第３実施形態例によると、シフトクロック信号ＣＬＫ３とＣＬＫ４とは同一周波数で反対の位相を有する。また、奇数画像データと偶数画像データも同一周波数で反対の位相を有する。この時、シフトクロック信号ＣＬＫ３とＣＬＫ４とのパルス幅は、それぞれ奇数画像データ及び偶数画像データがハイになっている信号区間（または、ローになっている信号の区間）内に存在する。したがって、奇数画像データ信号及び偶数画像データ信号は、図８に示すようにそれぞれシフトクロック信号ＣＬＫ３及びＣＬＫ４のライジングエッジ（またはフォーリングエッジ）に同期してデータドライバＩＣ内のシフトレジスタに保存される。
【００５４】
その結果、本発明の第３実施形態例によるデータドライバＩＣは、クロックトリガリングをポジティブにするかどうか、またはネガティブにするかどうかを選択する機能をそろえる必要はなく、たとえば、ポジティブのクロックトリガリングだけを有するデータドライバＩＣを用いることができる。
【００５５】
一方、図９は、図８に示すシフトクロック信号のパルス幅を１／２に減少させたものである。シフトクロック信号のパルス幅を減少させただけデータドライバＩＣのタイミングマージンを改善することができる。
【００５６】
本発明の第４実施形態例によると、図１０に示すようにシフトクロック信号ＣＬＫ３とＣＬＫ４とは同一周波数で反対の位相を有する。反面、奇数画像データと偶数画像データとは同一周波数を有するが９０°の位相差を有する。本発明の第４実施形態例によると、奇数画像データと偶数画像データとが９０°の位相差を有するので、それぞれシフトクロック信号ＣＬＫ３及びＣＬＫ４のライジングエッジ（または、フォーリングエッジ）に同期してデータドライバＩＣ内のシフトレジスタに保存される。
【００５７】
その結果、本発明の第４実施形態例によるデータドライバＩＣも第３実施形態例と同様に、クロックトリガリングをポジティブにするかどうか、またはネガティブにするかどうかを選択する機能をそろえる必要はなく、たとえば、ポジティブのクロックトリガリングだけを有するデータドライバＩＣを用いることができる。
【００５８】
以上、本発明の実施形態例について説明したが、本発明は前記実施形態例だけに限られるわけではなく、その他に様々な変形や変更が可能であるのは当然のことである。たとえば、本発明の第２実施形態例におけるシフトクロック信号ＣＬＫ３、ＣＬＫ４の位相差は１８０°だけでなく、９０°ないし２７０°の範囲以内に入るようにすることもできる。
【００５９】
また、第２実施形態例におけるシフトクロック信号ＣＬＫ３、ＣＬＫ４の位相を同一にし、第１実施形態例と同様に各シフトクロック信号ＣＬＫ１、クロック信号ＣＬＫ２と位相が反対であるクロック信号を別途の信号線を通じて接地面に印加することもできる。
【００６０】
また、本発明の実施形態例における信号配線は多層形印刷回路基板の上に形成されているが、その他の回路基板に形成することもでき、また、ＬＣＤ基板に直接形成することもできる。
【００６１】
【発明の効果】
上述したように、本発明によると、高速のシフトクロック信号と同時に前記クロック信号と反対の位相を有するクロック信号を伝送するので、シフトクロックの信号の伝送に起因するＥＭＩを減少することができる。また、奇数の画像データと反対の位相を有する偶数画像データを別途の信号線を通して伝送するので、高速の画像データの伝送に起因するＥＭＩを減少することができる。
【図面の簡単な説明】
【図１】
従来の薄膜トランジスタ液晶表示装置を示す図面である。
【図２】
本発明の第１実施形態例による薄膜トランジスタ液晶表示装置を示す図面である。
【図３】
図２のＡ−Ａ´線の垂直断面図である。
【図４】
本発明の第１実施形態例によるデータドライバＩＣの詳細ブロック図である。
【図５】
本発明の第１実施形態例によるクロック信号の波形を示す図面である。
【図６】
本発明の第２実施形態例による薄膜トランジスタ液晶表示装置を概略的に示す図面である。
【図７】
本発明の第２実施形態例による画像信号及びシフトクロック信号の波形を示す図面である。
【図８】
第３実施形態例による画像信号及びシフトクロック信号の波形を示す図面である。
【図９】
第３実施形態例による画像信号及びシフトクロック信号の波形を示す図面である。
【図１０】
本発明の第４実施形態例による画像信号及びシフトクロック信号の波形を示す図面である。
【符号の説明】
１００    ＬＣＤパネル
１０４    液晶
１１０    カラーフィルタ基板
１２０    ＴＦＴ基板
１２５    ＴＦＴ
１２７ａ、ｂ、ｃ、ｄ  データパッド
１２８ａ、ｂ、ｃ、ｄ  ゲートパッド
２００    データ駆動部
２００ａ、ｂ、ｃ、ｄ  データドライバＩＣ
２１０ａ  シフトレジスタ
２２０ａ  Ｄ／Ａコンバータ
２３０ａ  出力バッファ
２５０ａ、ｂ、ｃ、ｄ  ＴＣＰ
２７０ａ  ＡＣＦ
３００    ゲート駆動部
３００ａ、ｂ、ｃ、ｄ  ゲートドライバ
３５０ａ、ｂ、ｃ、ｄ  ＴＣＰ
４００    ＰＣＢ
５００    ＰＣＢ
５５０    タイミング制御機
６００    データ駆動部
６００ａ、ｂ、ｃ、ｄ  データドライバＩＣ